(57)【要約】【課題】  光軸方向に移動するレンズ群の初期の性能出しが容易にでき且つ、温度や湿度変化に対しての耐環境性能や耐衝撃性能を高めたレンズ鏡筒を得ること。【解決手段】  光学レンズを保持し、ビスにより外径部にカムフォロワーが取り付けられたレンズ保持枠と、前記カムフォロワーが嵌るガイド溝を有する筒部材を有し、前記ガイド溝により前記レンズ保持枠の位置を規定するレンズ鏡筒において、前記カムフォロワーは芯材部と前記芯材部の外周を覆うカラー部とを有し、前記レンズ保持枠の外周面には有底の円形凹部が形成されており、前記円形凹部はカムフォロワーのカラー部の外径部が嵌合する内径部を有し、前記カムフォロワーが前記レンズ保持枠の外径部に取り付けられた状態では、前記カラー部の外径部が前記円形凹部の内径部に嵌り、前記芯材部の一方の端面が前記円径凹部の底面に当接し、前記芯材部の他方の端面が前記ビスの頭部と当接している。【選択図】  図３
2012053445.tif 000002
【特許請求の範囲】
【請求項１】
光学レンズを保持し、ビスにより外径部にカムフォロワーが取り付けられたレンズ保持枠と、前記カムフォロワーが嵌る溝部を有する筒部材とを有し、前記溝部により前記レンズ保持枠の位置を規定するレンズ鏡筒において、
前記カムフォロワーは芯材部と前記芯材部の外周を覆うカラー部とを有し、前記レンズ保持枠の外周面には有底の円形凹部が形成されており、前記円形凹部はカムフォロワーのカラー部の外径部が嵌合する内径部を有し、前記カムフォロワーが前記レンズ保持枠の外径部に取り付けられた状態では、前記カラー部の外径部が前記円形凹部の内径部に嵌り、前記芯材部の一方の端面が前記円形凹部の底面に当接し、前記芯材部の他方の端面が前記ビスの頭部と当接していることを特徴とするレンズ鏡筒。
【請求項２】
前記カラー部材は樹脂材料から成り、前記芯材部は金属材料からなることを特徴とする請求項１に記載のレンズ鏡筒。
【請求項３】
前記芯材部の軸方向において、前記芯材部の端面は前記カラー部の端面と同じ高さ、または前記カラー部の端面よりも突出していることを特徴とする請求項１または２に記載のレンズ鏡筒。
【請求項４】
前記ビスの頭部は、前記カラー部の端面に当接していないことを特徴とする請求項１乃至３のいずれか１項に記載のレンズ鏡筒。
【請求項５】
前記芯材部の軸方向の中央部には、前記芯材部と前記カラー部との前記軸方向の抜け止めのための径小部が設けられており、
前記芯材部の軸方向において、前記径小部の両側には前記芯材部の径方向の厚さが前記径小部よりも大きい第１および第２径大部が設けられ、
前記第１および第２径大部は、前記径方向の厚さが同じであり、前記軸方向の長さが同じであることを特徴とする請求項１乃至４のいずか１項に記載のレンズ鏡筒。
【請求項６】
前記芯材部の軸方向の中央部には、前記芯材部と前記カラー部との前記軸方向の抜け止めのための径大部が設けられており、
前記芯材部の軸方向において、前記径大部の両側には前記芯材部の径方向の厚さが前記径大部よりも小さい第１および第２径小部が設けられ、
前記第１および第２径小部は、前記径方向の厚さが同じであり、前記軸方向の長さが同じであることを特徴とする請求項１乃至４のいずか１項に記載のレンズ鏡筒。
【請求項７】
前記カラー部の径方向の厚さは、０．３〜０．７ｍｍであることを特徴とする請求項１乃至６のいずれか１項に記載のレンズ鏡筒。
【請求項８】
前記筒部材はカム溝が形成された第１の筒部材と直進溝が形成された第２の筒部材とを有し、
前記カムフォロワーが前記カム溝と前記直進溝との交差部に同時に嵌り、
前記第１または第２の筒部材の回転により前記レンズ保持枠が光軸方向に移動することを特徴とする請求項１乃至７のいずれか１項に記載のレンズ鏡筒。
【請求項９】
請求項１乃至８のいずれか１項のレンズ鏡筒を有することを特徴とする光学機器。
【発明の詳細な説明】
【技術分野】
【０００１】
本発明はレンズ鏡筒及びそれを有する光学機器に関し、例えばレンズ群を保持し、光軸方向に移動するレンズ保持部材を外部からの衝撃や環境変化があっても安定的に保持できるデジタルカメラやビデオカメラ等に好適なものである。
【背景技術】
【０００２】
デジタルカメラやビデオカメラ等の光学機器に用いられているレンズ鏡筒では、フォーカスやズーミングに際してレンズ群を保持したレンズ保持部材を回転筒の回転によって光軸方向に移動させている。
【０００３】
光軸方向に移動するレンズ保持部材を有するレンズ鏡筒における駆動機構では、カム溝を有するカム筒と、光軸方向に平行な縦溝（直進溝）を有する案内筒（固定部材）、そしてそれら両方の溝に嵌合するカムフォロワーを用いている。カムフォロワーはレンズ保持部材にビス等によって固定されている。そしてカムフォロワーを支持するレンズ保持部材が、カム筒の光軸周りの回転によりカム筒のカム溝と案内筒の縦溝に係合するカムフォロワーによって光軸方向へ駆動される。
【０００４】
このとき、レンズ保持部材をカム軌跡に沿って高精度に移動させるにはカムフォロワーをレンズ保持部材の定まった位置にズレなく安定して固定することが重要になってくる。カムフォロワーをレンズ保持部材に精度良く取り付けた上で、カムフォロワーの直径寸法とカム筒のカム溝、案内筒の縦溝の幅寸法が同寸法、或いは、カムフォロワーの直径寸法が僅かにカム溝、縦溝の幅寸法よりも大きくなるように組み込まれるのが望ましい。
【０００５】
更には、外気温などの環境変化や衝撃が加えられても初期のレンズ保持状態が極力変化しないようなレンズ保持部材の保持機構が望まれている。
【０００６】
従来より、カム筒のカム溝、案内筒の縦溝に対して摺動可能に保持される耐衝撃性を持たせたカムフォロワーを使用し、レンズ保持部材（移動枠）を移動するようにしたレンズ鏡筒が知られている（特許文献１）。
【０００７】
特許文献１のレンズ鏡筒では、カムフォロワーを合成樹脂から成るカラー部材と鍔部を有した金属製の中間部材とで構成している。そして摺動時の摩擦負荷を抑えつつ、初期のレンズ保持状態を長期に渡り安定して維持できるようにしている。
【先行技術文献】
【特許文献】
【０００８】
【特許文献１】特開平１０−２２７９６４号公報
【発明の概要】
【発明が解決しようとする課題】
【０００９】
特許文献１のレンズ鏡筒は、カムフォロワー（連結部材）をカラー部材と鍔部を有した中間部材とで構成している。そして中間部材側に、ビス締結の際にレンズ保持枠に当接する鍔部を設けて、ビス締結作業の安定性のアップや耐衝撃力を高めている。
【００１０】
特許文献１のレンズ鏡筒には、カムフォロワーをレンズ保持枠（移動枠）に固定する際に、カムフォロワー対レンズ保持枠の位置決めを、どのようにして行うか具体的に開示されていない。カムフォロワーをレンズ保持枠に精度良く組み付けないと、レンズ保持枠を精度良く維持し、移動するのが困難になる。
【００１１】
本発明は、光軸方向に移動するレンズ群を保持するレンズ保持枠の初期の性能出しが容易にでき且つ、温度や湿度変化に対しての耐環境性能や耐衝撃性能を高めたレンズ鏡筒及びそれを有する光学機器の提供を目的とする。
【課題を解決するための手段】
【００１２】
本発明のレンズ鏡筒は、光学レンズを保持し、ビスにより外径部にカムフォロワーが取り付けられたレンズ保持枠と、前記カムフォロワーが嵌るガイド溝を有する筒部材とを有し、前記ガイド溝により前記レンズ保持枠の位置を規定するレンズ鏡筒において、前記カムフォロワーは芯材部と前記芯材部の外周を覆うカラー部とを有し、前記レンズ保持枠の外周面には有底の円形凹部が形成されており、前記円形凹部はカムフォロワーのカラー部の外径部が嵌合する内径部を有し、前記カムフォロワーが前記レンズ保持枠の外径部に取り付けられた状態では、前記カラー部の外径部が前記円形凹部の内径部に嵌り、前記芯材部の一方の端面が前記円径凹部の底面に当接し、前記芯材部の他方の端面が前記ビスの頭部と当接していることを特徴とする。
【発明の効果】
【００１３】
本発明によれば、光軸方向に移動するレンズ群を保持するレンズ保持枠の初期の性能出しが容易にでき且つ、温度や湿度変化に対しての耐環境性能や耐衝撃性能を高めたレンズ鏡筒が得られる。
【図面の簡単な説明】
【００１４】
【図１】実施例１における交換レンズの主要断面図
【図２】実施例１における交換レンズの主要部の分解斜視図
【図３】実施例１における交換レンズのカムフォロワー取り付け拡大図
【発明を実施するための形態】
【００１５】
以下に、本発明の実施の形態を添付の図面に基づいて詳細に説明する。
【００１６】
本発明のレンズ鏡筒は、光学レンズ（第２群レンズ）Ｌ２を保持し、ビス１１５により外径部にカムフォロワー（コロ部）１１４が取り付けられたレンズ保持枠（第２レンズ鏡筒）１０２を有する。更に各々に溝部（第２直進溝１１０Ｂ、第２カム溝部１１１Ｃ）が形成され、径嵌合して光軸回りで相対回転可能に保持される第１の筒部材（案内筒）１１０と、第二の筒部材（カム筒）１１１とを有する。
【００１７】
レンズ保持枠１０２に設けたカムフォロワー１１４は、第１、第２の筒部材１１０、１１１に形成された双方の溝部（１１０Ｂ、１１１Ｃ）の交差部に同時に嵌る。そして、一方の筒部材（カム筒）１１１の回転駆動により、レンズ保持枠１０２が光軸方向に移動する。
【００１８】
カムフォロワー１１４は金属材料より成る芯材部１１４Ａと芯材部の外周を覆い、軸方向で芯部材１１４Ａより短い樹脂材料より成るカラー部１１４Ｂを有する。
【００１９】
軸方向においてカムフォロワー１１４の、芯材部１１４Ａの端面１１４Ａ−４、１１４Ａ−５はカラー部１１４Ｂの端面１１４Ｂ−２、１１４Ｂ−４よりも突出している。
【００２０】
カムフォロワー１１４の芯材１１４Ａの軸方向の前後の径大部１１４Ａ−１、１１４Ａ−２の径は同径である。また芯材部１１４Ａの軸方向の中央部は芯材部１１４Ａとカラー部１１４Ｂの軸方向の抜け止めのための径小部１１４Ａ−３が設けられており、芯材部１１４Ａの軸方向の方向性をなくしている。即ち、どちらの方向からでも全く同じ構成となるようにしている。
【００２１】
またカラー部１１４Ｂの径方向の肉厚Ｗは、芯材部１１４Ａの径方向の肉厚Ｖよりも薄い。
【００２２】
レンズ保持枠１０２の外周面には有底の円形凹部１０２Ｄが形成されており、円形凹部１０２Ｄはカムフォロワー１１４のカラー部１１４Ｂの外径部（第１の径部）１１４Ｂ−３が嵌合する内径部（座面内径）１０２Ｂを有している。カムフォロワー１１４がレンズ保持枠１０２の外形部に取り付けられた状態では、カムフォロワー１１４のカラー部１１４Ｂの外径部１１４Ｂ−３がレンズ保持枠１０２の円形凹部１０２Ｄの内径部１０２Ｂに嵌る。
【００２３】
このときカラー部１１４Ｂの端面１１４Ｂ−２は円形凹部１０２Ｄの底面１０２Ａに当接しておらず、芯材部１１４Ａの端面１１４Ａ−５（一方の端面）が円形凹部１０２Ｄの底面（座面）１０２Ａに当接している。また、カラー部１１４Ｂの端面１１４Ｂ−４はビス頭部の端面（ビス頭端面）１１５Ａに当接しておらず、芯材部１１４Ａの端面１１４Ａ−４（他方の端面）がビス頭端面１１５Ａに当接している。
【００２４】
［実施例１］
以下、図１，図２を参照して、本発明の実施例１による、レンズ鏡筒の構成について説明する。
【００２５】
図１は、本発明の実施例１の交換レンズ（レンズ鏡筒）１００の主要断面図である。
【００２６】
図２は交換レンズ１００の要部斜視図である。図３は図１の一部分の拡大説明図である。交換レンズ１００は、物体側（紙面左側）から順に、第１群レンズ〜第３群レンズＬ１〜Ｌ３より成る３群構成のズームレンズを有する。第１群レンズＬ１、第２群レンズＬ２はズーム操作環１１３のズーム動作によって光軸方向に移動する変倍用のレンズ群である。第３群レンズＬ３はフォーカス動作によって光軸方向に進退するフォーカス用のレンズ群である。第１〜第３レンズ群Ｌ１〜Ｌ３は第１レンズ鏡筒１０１、第２レンズ鏡筒１０２、第３レンズ鏡筒１０３によりそれぞれ保持されている。
【００２７】
交換レンズ１００は、カメラ本体（不図示）に着脱可能に装着するためのマウント１０６を有する。第２レンズ鏡筒１０２には絞り１０４が固定されている。案内筒１１０のカメラ側端面には外筒１０５が固定されている。更に、外筒１０５の端面にマウント１０６が固定されている。
【００２８】
案内筒１１０の外側にはカム筒（回転筒）１１１が配置されている。カム筒１１１は、案内筒１１０の外周に回動可能に配置されている。カム筒１１１はカム筒１１１に設けた凹溝１１１Ａで案内筒１１０に設けた突起１１０Ｄとバヨネット結合している。それにより、カム筒１１１は案内筒１１０に対して光軸方向に相対移動することなく、光軸回りの回転（定位置回転）のみ可能となっている。
【００２９】
カム筒１１１には、第１カム溝部１１１Ｂ、第２カム溝部１１１Ｃが形成されている。第１カム溝部１１１Ｂ、第２カム溝部１１１Ｃは第１レンズ鏡筒１０１、第２レンズ鏡筒１０２をそれぞれズーム操作環１１３のズーム動作時に光軸方向に移動させる為のものである。
【００３０】
カム筒１１１の外側には第１レンズ鏡筒１０１を保持し、一体的に光軸に直進移動する直進筒１１２が配置されており、さらに直進筒１１２の外周にはズーム操作環１１３が定位置回転可能に配置されている。
【００３１】
直進筒１１２にはカム筒１１１に形成された第１カム溝部１１１Ｂ、および案内筒１１０に光軸方向に延びるように設けられた第１直進溝部１１０Ａに嵌合するカムフォロワー（不図示）がネジにより取り付けられている。
【００３２】
ズーム操作環１１３は不図示の周方向の凹溝があり、案内筒１１０の突起部１１０Ｃとバヨネット結合しており、ズーム操作環１１３は、案内筒１１０に対して光軸方向には移動せず（すなわち光軸方向における定位置にて）、光軸回りで定位置回転可能である。ズーム操作環１１３には不図示の回転伝達キーが取り付けられており、回転伝達キーがカム筒１１１の不図示の溝部と係合して、ズーム操作環１１３の回転がカム筒１１１に伝達される。
【００３３】
第２レンズ鏡筒１０２にはカムフォロワー１１４がネジ（ビス）１１５により取り付けられている。そして、カムフォロワー１１４が、カム筒１１１に形成された第２カム溝部１１１Ｃ、および案内筒１１０に光軸方向に延びるように設けられた第２直進溝部１１０Ｂに嵌合している。第２カム溝部１１１Ｃと第２直進溝部１１０Ｂにより、第２レンズ鏡筒１０２の位置は規定される。
【００３４】
第３レンズ鏡筒１０３の外周にはカムフォロワーがネジにより取り付けられている。該カムフォロワーは、不図示のフォーカスカム溝と、不図示のフォーカス回転筒に設けられた直進溝に係合している。
【００３５】
フォーカス回転筒は、不図示のフォーカス駆動モーターの出力軸と連結されており、フォーカス駆動モーターの回転により第３レンズ鏡筒１０３が駆動される。
【００３６】
以上のように構成されたズームレンズ鏡筒の動作について説明する。まず、ズーム操作環１１３が回転操作されると、ズーム操作環１１３の回転伝達キーとカム筒１１１の溝部を介してカム筒１１１に回転力が伝達されカム筒１１１が光軸周りに定位置回転する。カム筒１１１が回転するとそれに設けた第１、第２カム溝部１１１Ｂ、１１１Ｃと案内筒１１０の第１直進溝部１１０Ａ、第２直進溝１１０Ｂにそれぞれ係合するカムフォロワーを有する直進筒１１２と第２レンズ鏡筒１０２は、光軸方向に直進駆動する。
【００３７】
これによって交換レンズ１００が保持するズームレンズのズーミング（焦点距離の変更）が行われる。
【００３８】
次に本発明の交換レンズ１００において第２レンズ鏡筒１０２に固定されているカムフォロワー（コロ部材）１１４の形状について説明する。
【００３９】
図３は第２群レンズＬ２を保持する第２レンズ鏡筒１０２に取り付けられたカムフォロワー１１４の詳細図である。
【００４０】
カムフォロワー１１４は、金属部品（金属材料）からなる芯材部（金属芯材）１１４Ａの外周に樹脂材料より成るカラー部材（カラー部）１１４Ｂがインサート成型されている。芯材部１１４Ａの外径は径大部１１４Ａ−１，１１４Ａ−２と僅かに径の小さい径小部１１４Ａ−３からなっており、径小部１１４Ａ−３は芯材部１１４Ａとインサートされるカラー部１１４Ｂとが軸方向に抜けることがないように抜け止めの役割を果たしている。レンズ鏡筒１０２の外周面には有底の円形凹部１０２Ｄが形成されている。カムフォロワー１１４は、第２レンズ鏡筒１０２の円形凹部１０２Ｄの座面内径（内径部）１０２Ｂと嵌合する第１の径部１１４Ｂ−３を有する。更に案内筒１１０の縦溝１１０Ｂ（図２）とカム筒１１１のカム溝１１１Ｃ（図１）を摺動する第２の径部１１４Ｂ−１を有している。
【００４１】
また、カムフォロワーの軸方向に関して、芯材部１１４Ａの端面１１４Ａ−５だけがレンズ鏡筒１０２の円形凹部１０２Ｄの座面１０２Ａに突き当たるようにしている。具体的には芯材部１１４Ａの端面１１４Ａ−５の先端がカラー部１１４Ｂの端面１１４Ｂ−２よりΔＸだけ長くなっている。ΔＸの値は、０ｍｍ〜０．１ｍｍ程度とすることが望ましい。ΔＸを大きくとりすぎると、円形凹部１０２Ｄの座面内径（内径部）１０２Ｂ、カムフォロワーの第１の径部１１４Ｂ−３の嵌合長が減ってしまうためである。
【００４２】
また、芯材部１１４Ａの軸方向の反対側の端面１１４Ａ−４も同様にカラー部１１４Ｂの端面１１４Ｂ−４よりΔＹだけ長くなっている。ΔＹの値は、０ｍｍ〜０．１ｍｍ程度とすることが望ましい。ΔＹを大きくとりすぎると、カム溝１１１Ｃとカムフォロワーの第２の径部１１４Ｂ−１の接触面が減ってしまうためである。
【００４３】
また、カムフォロワー１１４のカラー部１１４Ｂの第１の径部１１４Ｂ−３の外径Ｄ１１４Ｂは、レンズ鏡筒１０２の座面内径１０２Ｂよりも僅かに径が大きくなるように設定されている。
【００４４】
このため、カムフォロワー１１４をレンズ鏡筒１０２の座面内径１０２Ｂと弱圧入関係で嵌めこまれることになり、ガタツキなく組み込むことが可能になる。
【００４５】
以上のような寸法設定のカムフォロワー１１４をレンズ鏡筒１０２に組み付ける手順について説明する。
【００４６】
まずレンズ鏡筒１０２の円形凹部１０２Ｄの座面内径部１０２Ｂとカムフォロワー１１４のカラー部１１４Ｂの第１の外径部１１４Ｂ−３がしっくりと嵌る。これにより、カムフォロワー１１４がレンズ鏡筒１０２の所定位置にしっかりと位置決めされる。更にカムフォロワー１１４をレンズ鏡筒１０２の座面１０２Ａ側に押し込むと、芯材部１１４Ａの端面１１４Ａ−５がレンズ鏡筒１０２の座面１０２Ａに突き当たる。この状態でビス１１５を芯材１１４Ａの中央貫通部に挿通してレンズ鏡筒１０２のビス穴１０２Ｃにしっかりとねじ込む。
【００４７】
このとき、ビス頭端面１１５Ａはカラー部１１４Ｂを押さえてしまうことなく芯材部の端面１１４Ａ−４と当接する。するとビス締め力による力が芯材部１１４Ａの端面１１４Ａ−４からレンズ鏡筒１０２の座面１０２Ａに伝わる。芯材部１１４Ａは金属などの高い剛性を持った材料に設定すると強いビス締め力で締め付けても変形が起き難く、衝撃を受けた際のカムフォロワー１１４のズレやネジの緩みを防止することができる。
【００４８】
カムフォロワー１１４対レンズ鏡筒１０２の位置に関して、樹脂材からなるカラー部１１４Ｂとレンズ鏡筒１０２の座面内径１０２Ｂがしまり嵌めになるため所定位置に位置が決まるので、安定位置に組み付けるのに技術を要さない。したがって組み付けばらつきなどを起き難くすることができる。
【００４９】
また、高温、多湿下などの耐環境性能をより高めるためには、カラー部１１４Ｂは成型上可能でできるだけ薄くすることが望ましい。例えば肉厚を０．３〜０．７ｍｍ程度に収めるのが望ましい。例えば、カラー部１１４Ｂの径方向肉厚Ｗは芯材部１１４Ａの径方向肉厚Ｖの厚み以下に設定するのが良い。例えば０．５Ｖ＜Ｗ＜０．９Ｖ程度とするのが良い。
【００５０】
すると、カムフォロワー１１４が高温条件や多湿条件下に置かれ樹脂でできたカラー部１１４Ｂが熱クリープ変形した際にもカムフォロワー１１４全体の外径寸法変化を極力抑えることが容易となる。これにより、案内筒１１０の第２直進溝１１０Ａやカム筒１１１のカム溝１１１Ｂとの溝幅方向のガタ拡大の防止を軽減することができる。
【００５１】
また本実施例では、芯材部１１４Ａの径大部１１４Ａ−１、１１４Ａ−２は同寸法に設定されており、径小部１１４Ａ−３は、芯材部１１４の軸方向長さの中心位置に設けられている。これにより、芯材部１１４Ａに軸方向の方向性がなくなることのメリットがある。即ちどちらの方向からも全く同じ状態となるので製造時の作業性が良くなる。また、カムフォロワー１１４をビス１１５で締結する際にビス頭端面１１５Ａと当接する端面１１４Ａ−４と、レンズ鏡筒１０２の座面１０２Ａと当接する端面１１４Ａ−５の面積が等しいため、芯材部１１４Ａの輪切り断面が全領域でほぼ一様になっている。
【００５２】
そのため、芯材部１１４Ａにビス締め力やその他外力がかかった場合にも特に応力が集中する箇所がないという特長がある。
【００５３】
従って、ビス１１５の締め付け力、カムフォロワー１１４の軸方向の衝撃荷重は芯材部１１４Ａが受け、カムフォロワー１１４の径方向の衝撃荷重はカラー部１１４Ｂと芯材１１４部Ａで受けることが可能になる。このため、カムフォロワー１１４のレンズ鏡筒１０２に対する初期位置がしっかり決まり、且つカムフォロワー１１４の軸方向、径方向の荷重に対して強度の高い芯材部１１４Ａが機能することになる。
【００５４】
従って、耐衝撃性、耐環境変化に対する信頼性を高めた交換レンズを得ることができる。
【００５５】
本実施例では、カラー部材１１４Ｂを樹脂材と特に指定していないが、ＰＯＭなどの摩擦係数の低い樹脂で作るとカム溝や縦溝との摺動摩擦力を減らすことができるため、ズーム作動力軽減が可能となる。
【００５６】
また、芯材部１１４Ａに対してカラー部材１１４Ｂをインサート成型してカムフォロワー１１４を形成したが、インサート成型如何に関わらず、芯材部１１４Ａに対して外径からカラー部材１１４Ｂを挿入して作成したものに関しても同様の効果が得られる。
【００５７】
また、カムフォロワーを使用してレンズ保持枠を別部材に固定、或いは、カム溝を有した筒部材によりガイド駆動するようなレンズ鏡筒であれば、上記実施例で説明した以外の構成であっても本発明のカムフォロワーを適用することができる。その場合においても、上記で説明した内容と同様の効果を得ることができる。
【００５８】
また、上記実施例では径小部１１４Ａ−３の両側に、それよりも径の大きい径大部１１４Ａ−１、１１４Ａ−２（第１、第２径大部）を設けることで抜け止めの役割を担わせた例を挙げた。この部分を、逆に１１４Ａ−３を径大部として、その両側にそれよりも径の小さい径小部１１４Ａ−１、１１４Ａ−２（第１、第２径小部）を設け、芯材部１１４Ａとインサートされるカラー部１１４Ｂの抜け止めをさせてもよい。
【００５９】
以上のように本実施例では相対回転可能に保持される第１、第２の筒部材の双方に設けられた溝部に係合するレンズ保持枠に固定されたカムフォロワーの構成を適切に設定している。
【００６０】
これによれば、初期の性能出しが容易にでき且つ、温度や湿度変化に対しての耐環境性能や耐衝撃性能を高めたレンズ鏡筒及びそれを有する光学機器が得られる。
【００６１】
以上の本発明の好ましい実施形態について説明したが、本発明はこれらの実施形態に限定されず、その要旨の範囲内で種々の変形および変更が可能である。
【符号の説明】
【００６２】
１０２  第２レンズ鏡筒（レンズ保持枠）
１１０  案内筒（第１の筒部材）
１１１  カム筒（第２の筒部材）
１１４  カムフォロワー
１１４Ａ  芯材部
１１４Ｂ  カラー部材
１０２Ｄ  円形凹部
１０２Ａ  円形凹部の底面
１０２Ｂ  円形凹部の内径部
１１４Ａ−５  芯材部の端面
【図１】
2012053445.tif 000003
【図２】
2012053445.tif 000004
【図３】
2012053445.tif 000005